(57)【要約】【課題】汚物を良好に排出することができる水洗式便器を提供する。【解決手段】水洗式便器１は、便鉢部１０及びトラップ排水路２０を備えている。便鉢部１０は、その下流側にトラップ排水路２０が連通している。トラップ排水路２０は、上昇流路２３、第１下降流路２５、及び第２下降流路２７を有している。上昇流路２３は上方に延びて形成されている。第１下降流路２５は、上昇流路２３の下流端に連続し、底面２５Ａが下流に向けて下降する平坦な傾斜面で形成されている。第２下降流路２７は、第１下降流路２５の底面２５Ａに開口して下方に延びている。【選択図】図４
2020180470.tif 000002
【特許請求の範囲】
【請求項１】
便鉢部、及び前記便鉢部の下流側に連通するトラップ排水路を備えており、
前記トラップ排水路は、
上方に延びて形成された上昇流路と、
前記上昇流路の下流端に連続し、底面が下流に向けて下降する平坦な傾斜面で形成された第１下降流路と、
前記第１下降流路の底面に開口して下方に延びた第２下降流路と、
を有している水洗式便器。
【請求項２】
前記第１下降流路の底面の幅は前記第２下降流路の開口径よりも大きい請求項１に記載の水洗式便器。
【請求項３】
前記第１下降流路の底面の長さは前記第２下降流路の開口径よりも大きい請求項１又は２に記載の水洗式便器。
【発明の詳細な説明】
【技術分野】
【０００１】
本発明は水洗式便器に関するものである。
【背景技術】
【０００２】
特許文献１は従来の便器を示している。この便器は、ボウル部及び排水トラップ部を備えている。ボウル部は汚物を受ける。排水トラップ部は、入口部、上昇管路、下降管路、及び中間管路を有している。入口部はボウル部の下方に接続される。上昇管路は、入口部に接続されて上方へ延びる。下降管路は、排水配管に向けて下方へ延びる。中間管路は、上昇管路と下降管路とを接続する形態で中間に配置されている。中間管路は滞留面を具備している。滞留面は、上流側から下流側に向けて下り傾斜となるように形成され、便器洗浄時に汚物を一時的に滞留させる。滞留面には縮流部が形成されている。縮流部は、上流側から下流側に向けて排水の流路面積が小さくなるように形成されている。この便器は、滞留面に汚物を滞留させることで排水トラップ部の下限水位及びボウル部の溜水の水位を汚物の分だけ上昇させ、水頭圧を一時的に大きくすることができる。そして、この滞留面に縮流部を形成したことから、排水の流速を増加させることができる。これらにより、この便器は、排出性能を向上させることができるとされている。
【先行技術文献】
【特許文献】
【０００３】
【特許文献１】特開２０１８−１１２００４号公報
【発明の概要】
【発明が解決しようとする課題】
【０００４】
しかし、特許文献１の便器は、排水トラップ部に、汚物を滞留させる滞留面を形成したり、流路を縮小した縮流部を形成したり等、流路抵抗を大きくしている。この場合、汚物の更なる滞留を招くおそれがあった。
【０００５】
本発明は、上記従来の実情に鑑みてなされたものであって、汚物を良好に排出することができる水洗式便器を提供することを解決すべき課題としている。
【課題を解決するための手段】
【０００６】
本発明の水洗式便器は、
便鉢部、及び前記便鉢部の下流側に連通するトラップ排水路を備えており、
前記トラップ排水路は、
上方に延びて形成された上昇流路と、
前記上昇流路の下流端に連続し、底面が下流に向けて下降する平坦な傾斜面で形成された第１下降流路と、
前記第１下降流路の底面に開口して下方に延びた第２下降流路と、
を有している。
【０００７】
この水洗式便器は、トラップ排水路の第１下降流路の底面を平坦な傾斜面で形成している。これにより、第１下降流路における汚物の滞留の抑制を図ることができ、排水性能の低下を抑制することができる。
【０００８】
したがって、本発明の水洗式便器は、汚物を良好に排出することができる。
【０００９】
なお、上記「平坦」とは、完全に平らであることを意図するものではなく、汚物の滞留や洗浄水の流れに大きな影響を及ぼさない程度に湾曲したもの等の実質的に平坦であるものも含む。
【図面の簡単な説明】
【００１０】
【図１】実施例１に係る水洗式便器の平面図である。
【図２】実施例１に係る水洗式便器の左側面図である。
【図３】実施例１に係る水洗式便器を備えた便器装置を示す図であって、図１のＩＩＩ−ＩＩＩ線に相当する断面図である。
【図４】実施例１に係る水洗式便器の斜視断面図である。
【図５】実施例１に係る水洗式便器を示す図であって、図３のＶ−Ｖ線に相当する断面図である。
【図６】実施例１に係る水洗式便器の要部拡大断面図である。
【図７】図６のＶＩＩ−ＶＩＩ線断面における要部拡大図である。
【図８】図６のＶＩＩＩ−ＶＩＩＩ線断面図である。
【図９】図６のＩＸ−ＩＸ線断面における要部拡大図である。
【図１０】図６のＸ−Ｘ線断面図である。
【図１１】図６のＸＩ−ＸＩ線断面図である。
【発明を実施するための形態】
【００１１】
本発明における好ましい実施の形態を説明する。
【００１２】
本発明の水洗式便器において、第１下降流路の底面の幅は第２下降流路の開口径よりも大きく形成され得る。この場合、第１下降流路における流路面積を第２下降流路の流路面積よりも容易に大きく形成できるので、汚物の滞留を抑制する水洗式便器を容易に実現することができる。
【００１３】
本発明の水洗式便器において、第１下降流路の底面の長さは第２下降流路の開口径よりも大きく形成され得る。この場合、傾斜面を長くとれるので、流通する洗浄水を整流することができる。これにより、汚物をスムーズに押し流して滞留を抑制することができる。
【００１４】
次に、本発明の水洗式便器を具体化した実施例１について、図面を参照しつつ説明する。なお、以下の説明において、上下の方向は水洗式便器を設置した状態における上下（図２、図３、図６、図８、図、１０、図１１の上下の方向）であり、前後の方向は、便鉢部が形成されている側が前、トラップ排水路が形成されている側が後（図２及び図３では、右方が前方、左方が後方）であり、左右の方向は、水洗式便器を設置した状態で、水洗式便器の前方（便鉢部側）から見た左右（図１、図５の左右）である。
【００１５】
＜実施例１＞
実施例１の水洗式便器１は洗い落とし式の便器である。水洗式便器１は、図１〜図４に示すように、便鉢部１０、トラップ排水路２０、周壁部３０、導水部４０、及びタンク設置部５０を備えている。
【００１６】
便鉢部１０は、汚物を受けるとともに汚物を洗浄する洗浄水が流通する。図１、図３及び図４に示すように、便鉢部１０は、上壁部１１、中間壁部１５、下壁部１７、及び底壁部１９を有している。上壁部１１は便鉢部１０の上部周縁を形成している。この上壁部１１は、上下方向に立ち上がった帯状であり、上方に向けて僅かに外側に傾斜している。また、上壁部１１の上端周縁は上方から見た平面視で略楕円形状である。上壁部１１は、後側の左右中央よりも左側に横方向を長手方向とする形態の吐水口１１Ａが形成されている。吐水口１１Ａは、導水部４０から供給される洗浄水を便鉢部１０内に吐水する。
【００１７】
中間壁部１５は、図１、図３及び図４に示すように、上壁部１１より下方において、便鉢部１０の前後面及び左右側面を形成している。すなわち、中間壁部１５は、上壁部１１の前後側及び左右側の下端から内側に向かって緩やかに下方に傾斜して拡がっている。
【００１８】
下壁部１７及び底壁部１９は便鉢部１０の下部に凹部１３を形成する。下壁部１７は、図１、図３及び図４に示すように、中間壁部１５より内側且つ下側において、便鉢部１０の前後面及び左右側面を形成している。下壁部１７は、上下方向に立ち上がった筒状であり、中間壁部１５の下端から下方に向けて僅かに内側に傾斜している。底壁部１９は、図３に示すように、下壁部１７の内側且つ下側において、便鉢部１０の底面を形成している。底壁部１９は、下壁部１７の下端から内側に向けて僅かに下側に傾斜している。底壁部１９は後部にトラップ排水路２０の流入部Ｘが形成されている。図３に示すように、水洗式便器１において、溜水面Ｒは、底壁部１９の上面よりも上方に形成される。
【００１９】
トラップ排水路２０は便鉢部１０の下流側に連通して形成されている。トラップ排水路２０は便鉢部１０の下部に溜水を形成するために設けられている。便鉢部１０内の溜水面Ｒの高さは、トラップ排水路２０の頂部Ｃの高さで決定される。トラップ排水路２０は便鉢部１０よりも後方に延びている。トラップ排水路２０はいわゆるＳトラップである。図３〜図１１に示すように、トラップ排水路２０は、導入流路２１、上昇流路２３、第１下降流路２５、及び第２下降流路２７を有している。
【００２０】
導入流路２１は、便鉢部１０の底壁部１９に形成されたトラップ排水路２０の流入部Ｘに上流端が連続している。すなわち、トラップ排水路２０は便鉢部１０の下流側に連通している。導入流路２１は、便鉢部１０の下端後部から下方に延びており、下流に向けて後方に湾曲している。図３、図４、図６及び図８に示すように、導入流路２１の下流端は水平方向を向いて後方に向かって開口している。この導入流路２１の下流端の下端Ａはトラップ排水路２０における最下端である。また、導入流路２１の上流端の前端Ｂは流入部Ｘの前端であり、トラップ排水路２０の最前端である。また、導入流路２１の上流端は流入部Ｘであり、この流入部Ｘの前端は導入流路２１の前端Ｂである。
【００２１】
上昇流路２３は導入流路２１の下流端の開口に連続している。すなわち、この上昇流路２３の上流端の下端は導入流路２１の下流端の下端Ａである。上昇流路２３は上方に向けて斜め後方に傾斜している。上昇流路２３の下流端は水平方向を向いて後方に向かって開口している。上昇流路２３の下流端の下端は、トラップ排水路２０における頂部Ｃである。図１０及び図１１に示すように、頂部Ｃは、左右方向に略水平に延びている。
【００２２】
図６に示すように、本実施例において、上昇流路２３の傾斜角度θ２は、導入流路２１の傾斜角度θ１よりも大きくされている。具体的には、上昇流路２３の水平面に対する傾斜角度θ２は７０°程度であり、導入流路２１の水平面に対する傾斜角度θ１は６０°程度である。このように、本実施例では、導入流路２１の傾斜角度θ１及び上昇流路２３の傾斜角度θ２のいずれも４５°以上の大きさとしている。このように導入流路２１及び上昇流路２３を形成したことで、前後方向の大きさの抑えられたトラップ排水路２０を形成することができる。
なお、本実施例の場合、傾斜角度θ１，θ２は、導入流路２１及び上昇流路２３の直線状の部位の傾斜角度である。傾斜角度θ１，θ２は、導入流路又は上昇流路が湾曲して形成されている場合には、湾曲部位を平均的に見て、湾曲部位全体としての傾斜角度としてもよい。
【００２３】
また、図７〜図１１に示すように、本実施例において、トラップ排水路２０は、導入流路２１の入口である流入部Ｘから上昇流路２３の下流端である頂部Ｃまでの領域の流路断面において、左右方向の大きさが左右方向の直交方向の大きさよりも大きく形成されている。このように導入流路２１及び上昇流路２３を形成したことで、前後方向の大きさのみならず、上下方向の大きさも抑えられたトラップ排水路２０を形成することができる。
なお、本実施例では、上昇流路２３の途中位置としての溜水面Ｒよりも下方の領域から、上昇流路２３の下流端である頂部Ｃまでの領域の流路断面においても、左右方向の大きさが左右方向の直交方向の大きさよりも大きく形成している。この上昇流路の下流端近傍の領域や、導入流路の下流端（上昇流路の上流端）近傍の領域については、左右方向に直交する方向の大きさを左右方向よりも大きく形成してもよい。これらの領域の流路断面は、左右方向の大きさよりも左右方向に直交する方向の大きさを大きくしたとしても、トラップ排水路の前後方向の大きさに与える影響は小さい。また、これらの領域の流路断面の左右方向に直交する方向の大きさを左右方向の大きさよりも小さくすることで、トラップ排水路の上下方向の大きさを抑制することに寄与できる。
【００２４】
図３〜図５に示すように、第１下降流路２５は上昇流路２３の下流端の開口に連続している。すなわち、第１下降流路２５の上流端の下端は上昇流路２３の下流端の下端であり、トラップ排水路２０の頂部Ｃである。第１下降流路２５は略矩形状の断面形状を有する流路である。第１下降流路２５は後方に向けて延びている。第１下降流路２５は、内面の下面、すなわち底面２５Ａが、下流側（後方）に向けて僅かに下方に傾斜している。図３〜図５に示すように、第１下降流路２５の底面２５Ａは平坦な傾斜面で形成されている。詳細には、底面２５Ａは、図１０及び図１１に示すように、左右方向には略水平であり、また、図３及び図４に示すように、前後方向は略一定の勾配で後方に向かうにつれて下方に傾斜する平面状に形成されている。
【００２５】
第１下降流路２５の下流側端部は、後方に向けて閉鎖されている。図５に示すように、第１下降流路２５は、その内面の側面が上流端から下流側に向かって略一定の幅Ｗで形成されている。また、図３に示すように、第１下降流路２５の内面の上面２５Ｂは、後方に向けて略一定の高さで延びている。すなわち、第１下降流路２５は、上流端から下流側に向かって上下幅が徐々に大きくなる形態で形成されている。
【００２６】
図３〜図５及び図１１に示すように、第２下降流路２７は略円形状の断面形状を有する流路である。第２下降流路２７は第１下降流路２５の底面２５Ａの下流側端部に開口している。第２下降流路２７は鉛直方向に延びており、その下流端は下方に向けて開口している。第２下降流路２７の下端側端部には排水ソケット７０が接続される。本実施例の排水ソケット７０は、第２下降流路２７の下端部に接続されているとともに、トラップ排水路２０の下方を通過して前方に延びて床面Ｆに引き出された排水管Ｐに接続される。
なお、排水ソケット７０は、切断して長さを調整することで、水洗式便器１の後方の壁面Ｙから排水管Ｐの中心まで距離（排水芯）が２００ｍｍ〜５５０ｍｍ程度まで対応可能である。
【００２７】
図５に示すように、第１下降流路２５の底面２５Ａにおける第２下降流路２７の開口径Ｄは、底面２５Ａの幅方向の大きさよりも小さい。換言すると、第１下降流路２５の底面２５Ａの幅Ｗは、第２下降流路２７の開口径Ｄよりも大きい。また、第１下降流路２５の流路面積は、第２下降流路２７の流路面積よりも大きい。
また、第２下降流路２７の開口径Ｄは、第２下降流路２７の開口前端から第１下降流路２５の底面２５Ａ前端まで（頂部Ｃまで）の前後の距離よりも小さい。換言すると、第１下降流路２５の底面２５Ａの長さＬは、第２下降流路２７の開口径Ｄよりも大きい。
【００２８】
図３に示すように、トラップ排水路２０には凍結防止用のヒータＨ１が取り付けられている。ヒータＨ１は、通電により発熱するニクロム線とアルミシートからなる発熱体により構成されている。ヒータＨ１は上下に開口するテーパ筒状をなしており、導入流路２１の前側外周面と、上昇流路２３の後ろ側外周面とを巻き回すようにして取り付けられている。ヒータＨ１は、後述する排水ソケット７０に対応する位置におけるトラップ排水路２０の下端面２０Ａが露出する形態でトラップ排水路２０に取り付けられている。このため、下端面を覆うようなヒータが取り付けられるトラップ排水路と比較して、トラップ排水路２０の下端面２０Ａの位置をより床面Ｆに近づけて形成することが可能となる。なお、ヒータＨ１の外周面は耐火機能を有する緩衝材Ｈ２により覆われており、緩衝材Ｈ２の外周面及びトラップ排水路２０の下端面２０Ａは、断熱機能を有する防露材Ｈ３により覆われている。緩衝材Ｈ２は、ヒータＨ１と同様に、上下に開口するテーパ筒状をなしている。このため、トラップ排水路２０の下端面２０Ａは、トラップ排水路２０の最も外側を覆う防露材Ｈ３の内面に臨む形態とされている。
【００２９】
図３に示すように、トラップ排水路２０は、水洗式便器１の左右方向の中心断面の形状において、導入流路２１の下端Ａから前端Ｂまでの前後方向の距離よりも、導入流路２１の下端Ａ（上昇流路２３の上流端の下端）から頂部Ｃまでの前後方向の距離と略同等となる形態で形成されている。
【００３０】
周壁部３０は、図２に示すように、便鉢部１０及びトラップ排水路２０の周囲に連なって設けられている。便鉢部１０及びトラップ排水路２０の下方の空間は、この周壁部３０によって外部から視認不能に隠蔽されている。周壁部３０は、便鉢部１０の前方及び側方を囲む前部３１と、トラップ排水路２０の側方下部及び後方を囲む後部３２と、を有している。前部３１及び後部３２は、設置された際に床面Ｆとの当接面となる下端面から上方に立ち上がって形成されている。前部３１の上端は便鉢部１０の上端まで延びている。図７〜図１１に示すように、後部３２は、側部上端がトラップ排水路２０の外側壁面に側方から突き当てられて接続されている。後部３２の側部上端は、トラップ排水路２０の導入流路２１においては、図２に示すように、側面視における導入流路２１の上流端から下流端まで湾曲して形成されている。また、後部３２の側部上端は、トラップ排水路２０の上昇流路２３においては、図２に示すように、側面視における上昇流路２３の上流端から下流端まで、上昇流路２３の傾斜よりも緩やかに傾斜する形態で上昇して延びている。更に、後部３２の側部上端は、トラップ排水路２０の第１下降流路２５においては、図２に示すように、側面視における第１下降流路２５の上流端から後方へ、略水平に延びている。
【００３１】
導水部４０は、図１〜図４に示すように、便鉢部１０の後方であってトラップ排水路２０の上方に形成されている。導水部４０は、便鉢部１０の上壁部１１の後部、底面部４１、左右面部４３、後面部４５、及び上面部４７に囲まれて形成されている。導水部４０には洗浄水が流通する。導水部４０は吐水口１１Ａに連通しており、便器洗浄が実行された際に、吐水口１１Ａを介して便鉢部１０内に洗浄水を供給する。
【００３２】
底面部４１は、図３及び図４に示すように、便鉢部１０の上壁部１１の後部の下端に連続して後方に拡がっている。底面部４１の上面が導水部４０の下面４０Ａを形成している。底面部４１は、上方から見た平面視において、中央前端縁、左右前端縁、左右両端縁、及び後端縁を有している。中央前端縁は便鉢部１０の上端部の後部に沿って湾曲している。左右前端縁は中央前端縁の両端のそれぞれから左右の外方向に向けて後方に傾斜している。左右両端縁は、左右前端縁のそれぞれの外側の端部から後方に向けて平行に延びている。後端縁は左右両端縁のそれぞれの後端を直線状に延びて連結している。底面部４１は左右両端縁から左右中央部４１Ａに向けて下り傾斜した平板状である。すなわち、導水部４０の下面４０Ａは左右両端縁から左右中央部４１Ａに向けて下り傾斜している。また、底面部４１は左右中央部４１Ａが前方に向けて僅かに下り傾斜している。すなわち、導水部４０の下面４０Ａの左右中央部４１Ａは前方に向けて下り傾斜している。
【００３３】
左右面部４３は、図１及び図３に示すように、底面部４１の左右前端縁及び左右両端縁から上下方向に立ち上がっており、上方に向けて僅かに外側に拡がっている。また、左右面部４３は便鉢部１０の上壁部１１とほぼ同じ高さを有している。左右面部４３の前端部は、便鉢部１０の左右端よりも左右方向に拡がっている。後面部４５は、底面部４１の後端縁から上下方向に略垂直に立ち上がっている。後面部４５は左右中央部に図示しない洗浄タンクの流出口に接続された分配菅が挿通される挿通孔４５Ａが形成されている。上面部４７は、上方から見た平面視において、底面部４１とほぼ同じ形状である。上面部４７は、導水部４０の上方を塞ぐように、便鉢部１０の上壁部１１の後部、左右面部４３、及び後面部４５のそれぞれの上端縁に連続している。上面部４７は、便鉢部１０の後方に拡がって形成されている。具体的には、上面部４７は、水洗式便器１を設置した状態で、上面が便鉢部１０の後方へ水平に拡がるように形成されている。
【００３４】
図１〜図３に示すように、導水部４０には一対の円筒部４９が設けられている。一対の円筒部４９は、上面部４７と底面部４１とを連結する形態で鉛直方向に延びて形成されている。一対の円筒部４９は左右中央を対称にした位置に設けられている。一対の円筒部４９には、上面部４７の上面及び底面部４１の下面に貫通する貫通孔４９Ａがそれぞれ形成されている。一対の貫通孔４９Ａは所定の間隔を有している。一対の貫通孔４９Ａは上面部４７上に配置される便座装置等を固定するための取付孔である。
【００３５】
タンク設置部５０は水洗式便器１の後部上面に設けられている。タンク設置部５０には洗浄水が貯留される図示しない洗浄タンクが設置される。タンク設置部５０は凹状に窪んで形成されている。タンク設置部５０には、洗浄タンクの流出口に接続された分配管が後面部４５の挿通孔４５Ａに挿通されて配置される。
【００３６】
導水部４０は、水抜き通路６０によってトラップ排水路２０に連通している。具体的には、水抜き通路６０は、図１及び図３に示すように、導水部４０の下面４０Ａ（導水部４０を形成する底面部４１の上面）に開口する流入口６１から、便鉢部１０の溜水面Ｒより下方であって、トラップ排水路２０の導入流路２１の上部に開口する流出口６３まで連なって形成されている。水抜き通路６０は、導水部４０内の洗浄水を、便鉢部１０を介さずに、トラップ排水路２０内に直接流出させる。水抜き通路６０は、洗浄水を導水部４０から排出するにあたり、便鉢洗浄終盤になって洗浄水の勢いがある程度弱くなった場合に便鉢部１０に流出させないようにする。これにより、便鉢部１０の表面を僅かな流量の洗浄水が流下することによって形成される筋状の水垢が生じるのを抑制する。
【００３７】
このような構成を有する水洗式便器１は、便器洗浄を実行した際には、洗浄水が導水部４０から便鉢部１０を経てトラップ排水路２０内に流入する。トラップ排水路２０において、洗浄水は、導入流路２１を下降し、上昇流路２３を上昇しつつ汚物を押し流して第１下降流路２５に至る。第１下降流路２５は、底面２５Ａが下流に向けて下降する平坦な傾斜面で形成されている。したがって、洗浄水は、第１下降流路２５を底面２５Ａに沿ってスムーズに流下して第２下降流路２７に至り排出される。
【００３８】
第１下降流路２５の底面２５Ａは、その幅Ｗが第２下降流路２７の開口径Ｄよりも大きく形成されている。したがって、第１下降流路２５を流通する洗浄水は、汚物の詰まり等を生じさせることなく第２下降流路２７までスムーズに流下可能である。また、第１下降流路２５の底面２５Ａは、その長さＬが第２下降流路２７の開口径Ｄよりも大きく形成されている。したがって、洗浄水は、第１下降流路２５を流下しつつ整流され、汚物をスムーズに押し流す。
【００３９】
以上説明したように、実施例１の水洗式便器１は、便鉢部１０及びトラップ排水路２０を備えている。便鉢部１０は、その下流側にトラップ排水路２０が連通している。トラップ排水路２０は、上昇流路２３、第１下降流路２５、及び第２下降流路２７を有している。第１下降流路２５は便鉢部１０の下端から下方に延びて形成されている。上昇流路２３は上方に延びて形成されている。第１下降流路２５は、上昇流路２３の下流端に連続し、底面２５Ａが下流に向けて下降する平坦な傾斜面で形成されている。第２下降流路２７は、第１下降流路２５の底面２５Ａに開口して下方に延びている。
【００４０】
このように、水洗式便器１は、トラップ排水路２０の第１下降流路２５の底面２５Ａを平坦な傾斜面で形成している。これにより、第１下降流路２５における汚物の滞留の抑制を図ることができ、排水性能の低下を抑制することができる。
【００４１】
したがって、実施例１の水洗式便器１は、汚物を良好に排出することができる。
【００４２】
また、第１下降流路２５の底面２５Ａの幅Ｗは、第２下降流路２７の開口径Ｄよりも大きく形成されている。このため、第１下降流路２５における流路面積を第２下降流路２７の流路面積よりも容易に大きく形成できる。これにより、汚物の滞留を抑制する水洗式便器を容易に実現することができる。
【００４３】
また、第１下降流路２５の底面２５Ａの長さＬは、第２下降流路２７の開口径Ｄよりも大きく形成されている。このため、傾斜面を長くとれるので、流通する洗浄水を整流することができる。これにより、汚物をスムーズに押し流して滞留を抑制することができる。
【００４４】
本発明は上記記述及び図面によって説明した実施例に限定されるものではなく、例えば次のような実施例も本発明の技術的範囲に含まれる。
（１）実施例１では、洗い落とし式の水洗式便器を例示したが、本発明に係る水洗式便器はサイフォン式であってもよい。また、本発明に係る水洗式便器は、床置き便器に限定されず、壁掛け便器であってもよい。
（２）実施例１では、洗浄タンクが設置されるタンク設置部を備える形態を例示したが、本発明に係る水洗式便器において、タンク設置部を備えることは必須ではない。すなわち、本発明に係る水洗式便器は、フラッシュバルブや開閉弁等の開閉により給水配管から直接的に洗浄水が供給される構成等、いわゆるタンクレス式であってもよく、この場合、実施例１に係るタンク設置部は必須ではない。
（３）実施例１では、特定構成の導水部を備える形態を例示したが、導水部の構成は実施例１の構成に限定されない。
（４）実施例１では、水抜き通路を備える形態を例示したが、本発明に係る水洗式便器において、水抜き通路は必須の構成ではない。
（５）実施例１では、周壁部を備える形態を例示したが、本発明に係る水洗式便器において周壁部は必須の構成ではない。周壁部を備える場合には、実施例１の形態に限定されず、例えば、水洗式便器の上端まで全体的に覆う形態等の他の形態であってもよい。
（６）実施例１では、第２下降流路の下端部に、トラップ排水路の下方を通過して前方に延びて床の排水管に接続される排水ソケットが接続されている形態を例示したが、排水ソケットは、第２下降流路から下方に延びて床の排水管に接続されるものであってもよい。
（７）実施例１では、第１下降流路の底面の幅が第２下降流路の開口径よりも大きく形成されている形態を例示したが、これは必須ではない。本発明に係る水洗式便器は、第１下降流路の底面の幅と第２下降流路の開口径とが略同等の大きさで形成されていてもよい。
（８）実施例１では、第１下降流路の底面の長さが第２下降流路の開口径よりも大きく形成されている形態を例示したが、これは必須ではない。本発明に係る水洗式便器は、第１下降流路の底面の長さが第２下降流路の開口径よりも小さく形成されていてもよいし、第１下降流路の底面の長さと第２下降流路の開口径とが略同等の大きさで形成されていてもよい。
（９）実施例１では、トラップ排水路が導入流路を有する形態を例示したが、本発明に係るトラップ排水路において、導入流路は必須の構成ではない。トラップ排水路は、例えば、上昇流路が便鉢部の下流側に直接的に連通する形態であってもよい。
【符号の説明】
【００４５】
１…水洗式便器
１０…便鉢部
２０…トラップ排水路
２３…上昇流路
２５…第１下降流路
２５Ａ…第１下降流路の底面
２７…第２下降流路
Ｄ…第２下降流路の開口径
Ｌ…第１下降流路の長さ
Ｗ…第１下降流路の幅
【図１】
2020180470.tif 000003
【図２】
2020180470.tif 000004
【図３】
2020180470.tif 000005
【図４】
2020180470.tif 000006
【図５】
2020180470.tif 000007
【図６】
2020180470.tif 000008
【図７】
2020180470.tif 000009
【図８】
2020180470.tif 000010
【図９】
2020180470.tif 000011
【図１０】
2020180470.tif 000012
【図１１】
2020180470.tif 000013